(57)【要約】【課題】どの方向に対しても安定した通信強度を得ることが可能な洗濯乾燥機を提供する。【解決手段】洗濯槽と、洗濯槽に給水する給水ユニット４０と、乾燥運転時に洗濯槽に温風を供給する乾燥ユニット３７と、洗濯槽、給水ユニット４０および乾燥ユニット３７を収容する筺体と、筺体の上部に配置される操作パネル２２と、筺体の外部と無線通信を行う無線通信装置６０と、を備える。無線通信装置６０は、給水ユニット４０と乾燥ユニット３７との間、かつ、操作パネル２２よりも後側に配置されている。【選択図】図３
2020048615.tif 000002
【特許請求の範囲】
【請求項１】
洗濯槽と、
前記洗濯槽に給水する給水装置と、
乾燥運転時に前記洗濯槽に温風を供給する乾燥装置と、
前記洗濯槽、前記給水装置および前記乾燥装置を収容する筺体と、
前記筺体の上部に配置される操作パネルと、
前記筺体の外部と無線通信を行う無線通信装置と、を備え、
前記無線通信装置は、前記給水装置と前記乾燥装置との間、かつ、前記操作パネルよりも後側に配置されていることを特徴とする洗濯乾燥機。
【請求項２】
請求項１に記載の洗濯乾燥機において、
前記筺体は、前側に設けられる金属製の前板部と、左右に設けられる金属製の側板部と、後側に設けられる金属製の背板部と、上側に設けられる樹脂製の上板部と、左右の前記側板部の上端を連結する金属製の第１補強部と、前記第１補強部と前記背板部とを連結する樹脂製の第２補強部と、を備えることを特徴とする洗濯乾燥機。
【請求項３】
請求項２に記載の洗濯乾燥機において、
前記無線通信装置は、前記前板部、前記側板部および前記背板部のすべての上端縁部よりも上側に位置していることを特徴とする洗濯乾燥機。
【請求項４】
請求項２または請求項３に記載の洗濯乾燥機において、
前記無線通信装置は、前記第１補強部よりも後側にしていることを特徴とする洗濯乾燥機。
【請求項５】
請求項２ないし請求項４のいずれか１項に記載の洗濯乾燥機において、
前記無線通信装置は、前記第２補強部と前記上板部との間に位置していることを特徴とする洗濯乾燥機。
【請求項６】
請求項５に記載の洗濯乾燥機において、
前記無線通信装置は、前記第２補強部に取り付けられていることを特徴とする洗濯乾燥機。
【請求項７】
請求項５または請求項６に記載の洗濯乾燥機において、
前記無線通信装置は、通信基板と、前記通信基板を保持する基板ケースと、を備え、
前記基板ケースは、前記第２補強部と封止部材を挟んだ状態で、前記第２補強部に取り付けられていることを特徴とする洗濯乾燥機。
【請求項８】
請求項７に記載の洗濯乾燥機において、
前記通信基板は、前記基板ケースのすべての内壁面および前記第２補強部の内壁面から所定距離離れた状態で保持されていることを特徴とする洗濯乾燥機。
【発明の詳細な説明】
【技術分野】
【０００１】
本発明は、洗濯乾燥機に関する。
【背景技術】
【０００２】
特許文献１には、操作パネル部の近傍に、端末装置とデータ通信を行うことができる洗濯機側送受信部を設ける洗濯機が記載されている。特許文献２には、無線通信装置を、外箱の上部を形成する上面パネルと水槽との間の後側に配置したドラム式洗濯機が記載されている。
【先行技術文献】
【特許文献】
【０００３】
【特許文献１】特開２０１４−１７１５６２号公報
【特許文献２】特開２０１６−６４１０３号公報
【発明の概要】
【発明が解決しようとする課題】
【０００４】
しかしながら、特許文献１に記載のものでは、洗濯機側送受信部が前面上部に設けられた操作パネルの近傍であるため、後側の通信強度が弱くなる課題がある。また、操作パネルの近傍では、また、特許文献２に記載のものでは、無線通信装置が奥側（背面パネルの近傍）に配置されているため、前側の通信強度が弱くなる課題がある。
【０００５】
本発明は、前記した従来の課題を解決するものであり、どの方向に対しても安定した通信強度を得ることが可能な洗濯乾燥機を提供することを目的とする。
【課題を解決するための手段】
【０００６】
本発明は、洗濯槽と、前記洗濯槽に給水する給水装置と、乾燥運転時に前記洗濯槽に温風を供給する乾燥装置と、前記洗濯槽、前記給水装置および前記乾燥装置を収容する筺体と、前記筺体の上部に配置される操作パネルと、前記筺体の外部と無線通信を行う無線通信装置と、を備え、前記無線通信装置は、前記給水装置と前記乾燥装置との間、かつ、前記操作パネルよりも後側に配置されていることを特徴とする。
【発明の効果】
【０００７】
本発明によれば、どの方向に対しても安定した通信強度を得ることが可能な洗濯乾燥機を提供することができる。
【図面の簡単な説明】
【０００８】
【図１】本実施形態に係るドラム式洗濯機の分解斜視図である。
【図２】本実施形態に係るドラム式洗濯機の外観斜視図である。
【図３】本実施形態に係るドラム式洗濯機から上面パネルを取り外した状態を示す斜視図である。
【図４】本実施形態に係るドラム式洗濯機から上面パネルを取り外した状態を示す平面図である。
【図５】上部連結補強部から無線通信装置を取り外した状態を示す斜視図である。
【図６】無線通信装置を下から見上げた状態を示す分解斜視図である。
【図７】無線通信装置を下から見上げた状態を示す斜視図である。
【図８】図４のＡ−Ａ線断面図である。
【発明を実施するための形態】
【０００９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
＜洗濯乾燥機の全体構成＞
図１は、本実施形態に係る洗濯乾燥機の分解斜視図である。なお、図１では、筺体１０内部の、給水ユニット４０（給水装置、給水手段）、洗濯機を制御するメイン基板ユニット５０、無線通信装置６０、洗濯水を循環させる循環手段（配管、ポンプ）、対象物（布類）を乾燥させる乾燥風を生成する乾燥ユニット３７（乾燥装置、乾燥手段）の一部等の構成については図示を省略している。
【００１１】
図１に示すように、ドラム式洗濯機（洗濯乾燥機）１は、外槽３と、この外槽３内に回転自在に支持された回転ドラム（内槽）４と、外槽３および回転ドラム４を収容する筺体１０と、を備えて構成されている。なお、本実施形態では、外槽３と回転ドラム４によって洗濯槽が構成されている。
【００１２】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。また、外槽３（外槽カバー３ｂ）の開口部３ｓには、ゴム製のベローズ（不図示）が取り付けられ、ドア２５を閉じることで外槽３を水封するようになっている。また、外槽３は、ダンパ５を介して弾性支持されている。
【００１３】
回転ドラム４は、回転可能に支持された円筒状の洗濯兼脱水槽である。また、回転ドラム４は、その外周壁に通水および通風のための多数の貫通孔４ａが形成されている。また回転ドラム４は、前側端面に洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ４ｃが設けられている。なお、回転ドラム４の回転中心軸は、略水平または開口部４ｂ側が高くなるように傾斜している。また、回転ドラム４は、外槽３の背面に設けられた、図示しない駆動装置によって回転駆動される。
【００１４】
筺体１０は、正面に配置される前面パネル（前板部）１１と、左右の側面に配置される側面パネル（側板部）１４Ａ，１４Ｂと、背面に配置される背面パネル（背板部）１６と、を有している。前面パネル１１、側面パネル１４Ａ，１４Ｂおよび背面パネル１６は、板金（鉄板、カラー鋼板）をプレス加工等によって形成されたものである。
【００１５】
また、筺体１０は、外槽３の底側に配置されるベース１７（底板部）と、外槽３の上方に配置される上面パネル（上板部、トップパネル）１８と、を有している。
【００１６】
前面パネル１１は、正面上部に配置される前面上パネル１２と、正面下部に配置される前面下パネル１３と、を有している。なお、本実施形態では、前面パネル１１を前面上パネル１２と前面下パネル１３とで分割して構成しているが、１枚のパネルで構成されていてもよい。
【００１７】
前面上パネル１２には、ヒンジを介してドア２５が取り付けられている。前面下パネル１３には、図示しない糸くずフィルタのフィルタ部材を出し入れするためのフタ１３ｄが開閉可能に取り付けられている。
【００１８】
側面パネル１４Ａ，１４Ｂは、略四角板状に形成され、前面パネル１１、背面パネル１６と同じ高さになるように構成されている。
【００１９】
背面パネル１６は、背面上部に設けられる背面上パネル１６Ａと、背面中央から底部にかけて設けられる背面下パネル１６Ｂと、を備えて構成されている。なお、背面パネル１６は、背面上パネル１６Ａと背面下パネル１６Ｂとが１枚のパネルで構成されていてもよい。
【００２０】
ベース１７は、例えば合成樹脂製であり、内側に格子状のリブが形成されて補強が施されている。また、ベース１７には、側面パネル１４Ａ，１４Ｂの下端および背面パネル１６の下端がそれぞれネジ固定されている。
【００２１】
上面パネル１８は、例えば合成樹脂によって、上面視において略矩形状に形成され、１枚の板状に構成されている。また、上面パネル１８には、前後方向の手前左側に洗剤投入部２０、手前右側に操作パネル２２が設けられている。
【００２２】
また、筺体１０は、前面上部補強板３１、前面下部補強板３２、下部補強支持板３３，３４、上部補強板（第１補強部）３５、上部連結補強部（第２補強部）３６によって補強されている。前面上部補強板３１、前面下部補強板３２、下部補強支持板３３，３４および上部補強板３５は、それぞれ板金をプレス加工等することによって形成されている。
【００２３】
前面上部補強板３１は、側面パネル１４Ａ，１４Ｂに架け渡され、側面パネル１４Ａ，１４Ｂの前面側の上端同士を連結している。前面下部補強板３２は、側面パネル１４Ａ，１４Ｂに架け渡され、側面パネル１４Ａ，１４Ｂの前面側の下部同士を連結している。
【００２４】
下部補強支持板３３，３４は、前面下部補強板３２と連結され、前面下部補強板３２をベース１７から所定の高さ位置において支持するようになっている。また、下部補強支持板３３，３４は、下部が後側に折り曲げられてＬ字状に形成され、折り曲げられた下部側がベース１７にネジ固定されている。
【００２５】
上部補強板３５は、側面パネル１４Ａ，１４Ｂに架け渡され、側面パネル１４Ａ，１４Ｂの上端縁部同士を連結している。すなわち、上部補強板３５は、上面に位置して直線状に延びる板部３５ａと、この板部３５ａの左右両端において外槽３側に折り曲げ形成される曲げ部３５ｂ，３５ｃと、を有している。
【００２６】
上部連結補強部３６は、上部補強板３５と背面パネル１６とを連結して補強するものである。また、上部連結補強部３６は、外槽３の上部を図示しないバネによって支持している。また、上部連結補強部３６は、合成樹脂により成型されたものであり、上部補強板３５および背面パネル１６と図示しないねじを介して固定されている。また、上部連結補強部３６は、前後方向に延びて形成され、かつ、左右方向の略中央部に位置している。なお、合成樹脂としては、高強度および耐摩耗性に優れた樹脂、具体的にはＰＯＭ（ポリオキシメチレン樹脂）を選択することができる。
【００２７】
また、筺体１０の内部には、対象物（布類）を乾燥させる乾燥風が通る送風ダクト２３が設けられている。この送風ダクト２３は、外槽３の背面と背面パネル１６との間に配置され、外槽３の下部から上部に向けて略鉛直方向に延びて形成されている。
【００２８】
図２は、本実施形態に係るドラム式洗濯機の外観斜視図である。
図２に示すように、上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。また、上面パネル１８の外周縁部は、前面パネル１１の外周面、側面パネル１４Ａの外周面、側面パネル１４Ｂ（図１参照）の外周面および背面パネル１６の外周面に沿った形状を有している。
【００２９】
また、上面パネル１８に設けられた洗剤投入部２０は、洗剤（粉末、液体）、柔軟剤等を投入する投入部（不図示）を有し、これらの投入部を開閉する蓋２０ａを備えている。また、上面パネル１８に設けられた操作パネル２２は、電源スイッチ、運転コースを選択するスイッチ等を備え、洗剤投入部２０よりも左右方向の幅が広く形成されている。
【００３０】
また、筺体１０内には、乾燥ユニット３７が設けられている。この乾燥ユニット３７は、着脱式のフィルタ部材３８ａを備えている。このフィルタ部材３８ａは、上面パネル１８の左右方向の右寄りに位置している。
【００３１】
図３は、本実施形態に係るドラム式洗濯機から上面パネルを取り外した状態を示す斜視図である。
図３に示すように、上部連結補強部３６には、ドラム式洗濯機１（筺体１０、図２参照）の外部と無線通信を行うための無線通信装置６０が設けられている。この無線通信装置６０は、上部連結補強部３６の上面に設けられている。また、無線通信装置６０は、前面パネル１１の上端縁部１１ａ、側面パネル１４Ａの上端縁部１４ａ、側面パネル１４Ｂの上端縁部１４ａおよび背面パネル１６の上端縁部１６ａよりも鉛直方向の上側に配置されている。
【００３２】
上部連結補強部３６の左側（左右方向の一方）には、給水ユニット４０（給水装置）が設けられている。この給水ユニット４０は、背面パネル１６の近傍に位置している（背面パネル１６に隣接している）。また、給水ユニット４０は、給水ホース接続口１８ｆおよび風呂水ホース接続口１８ｇに接続される電磁弁ユニットＶ、風呂水を吸い上げるポンプＰなどを備えて構成されている。電磁弁ユニットＶは、複数の電磁弁を備え、各電磁弁を切り替えることで、給水ホース接続口１８ｆからの水道水を、外槽３、乾燥ユニット３７の水冷除湿機構（図示省略）などに供給できるように構成されている。
【００３３】
上部連結補強部３６の右側（左右方向の他方）には、乾燥ユニット３７（乾燥装置）が設けられている。この乾燥ユニット３７は、乾燥フィルタ３８と、送風ファン３９と、図示しないヒータと、を備えて構成されている。
【００３４】
乾燥フィルタ３８は、上面パネル１８に対して着脱可能に構成されたフィルタ部材３８ａ（図２参照）と、このフィルタ部材３８ａを取り付けるための取付部３８ｂと、を備えている。なお、図３は、取付部３８ｂからフィルタ部材３８ａ（図２参照）を取り除いた状態を示している。フィルタ部材３８ａは、合成樹脂製のケースに、メッシュ形状のフィルタ（不図示）が設けられたものである。
【００３５】
取付部３８ｂは、フィルタ部材３８ａが挿入される矩形状の開口を有している。また、取付部３８ｂは、中空形状を有し、水冷除湿後の空気が流入する流入口３８ｃと、フィルタ部材３８ａを通過後の空気が流出する流出口３８ｄと、を有している。流入口３８ｃは、前記した送風ダクト２３（図１参照）と連通している。流出口３８ｄは、送風ファン３９と連通している。
【００３６】
送風ファン３９は、取付部３８ｂを挟んで、上部連結補強部３６とは反対側に設けられている。換言すると、送風ファン３９は、取付部３８ｂと側面パネル１４Ａとの間に位置している。この送風ファン３９は、いわゆるターボファンなどと称されるものであり、ファンケース３９ａと電動機３９ｂとを備えている。ファンケース３９ａ内には、複数枚の羽根で構成された羽根車（不図示）が収容され、羽根車の周囲にスクロール状（渦巻き状）の流路（不図示）が形成されている。電動機３９ｂは、ファンケース３９ａに取り付けられ、前記羽根車を高速で回転させるものである。
【００３７】
図示しないヒータは、ＰＴＣ（Positive Temperature Coefficient）ヒータなどで構成され、ファンケース３９ａ内に形成されたスクロール状の流路の下流側に設けられている。また、ヒータの下流側のファンケース３９ａには、ヒータにより生成された温風（乾燥用の空気）が吐出される吐出口（不図示）が形成されている。吐出口から吐出された加熱された空気は、図示しないダクトを通って、回転ドラム４内に吐出されるようになっている。
【００３８】
図４は、本実施形態に係るドラム式洗濯機から上面パネルを取り外した状態を示す平面図である。
図４に示すように、給水ユニット４０と洗剤投入部２０との間には、メイン基板ユニット５０が設けられている。このメイン基板ユニット５０は、四角箱型の基板ケース５０ａを有し、上部補強板３５に保持されるとともに、側面パネル１４Ｂなどにねじ固定されている。また、メイン基板ユニット５０は、上面視において、上部連結補強部３６よりも左側に位置している。
【００３９】
無線通信装置６０は、給水ユニット４０と乾燥ユニット３７との間に位置し、かつ、操作パネル２２よりも後側に位置している。また、無線通信装置６０は、給水ユニット４０の電磁弁ユニットＶよりも前側に位置している。換言すると、無線通信装置６０は、上面視において、前面パネル１１、側面パネル１４Ａ，１４Ｂおよび背面パネル１６のすべてから離れて略中央に位置している。また、無線通信装置６０は、取付部３８ｂを挟んで送風ファン３９とは左右方向の反対側に位置している。
【００４０】
図５は、上部連結補強部から無線通信装置を取り外した状態を示す斜視図である。
図５に示すように、無線通信装置（通信ユニット）６０は、通信基板６１（図６参照）と、この通信基板６１を収容する基板ケース６２と、を備えて構成されている。
【００４１】
基板ケース６２は、合成樹脂製であり、略四角箱状且つ下面が開放した形状を有している。また、基板ケース６２は、上板６２ａと、左右方向を向く側板６２ｂ，６２ｃと、前後方向を向く側板６２ｄ，６２ｅと、を有している。側板６２ｂ，６２ｃ，６２ｄ，６２ｅは、上板６２ａの外周縁部から下方に垂直に延びて形成されている。また、側板６２ｂ，６２ｃ，６２ｄ，６２ｅの高さは、いずれも同じになるように構成されている。
【００４２】
側板６２ｄには、前方（側板６２ｅとは反対方向）に突出する突起部６２ｄ１，６２ｄ２が形成されている。この突起部６２ｄ１，６２ｄ２は、左右方向に互いに離間して、側板６２ｄと一体に形成されている。また、突起部６２ｄ１，６２ｄ２は、四角板状に形成され、上板６２ａと平行になるように構成されている。また、突起部６２ｄ１，６２ｄ２と側板６２ｄとの角部には、補強用のリブ６２ｄ３が形成されている。
【００４３】
側板６２ｅには、ねじ固定用の固定部６２ｅ１，６２ｅ２が後方（側板６２ｄとは反対方向）に突出して形成されている。この固定部６２ｅ１，６２ｅ２は、コ字状に形成されるとともに、上下方向に貫通するねじ挿通孔６２ｅ３が形成されている。
【００４４】
上部連結補強部３６は、前後方向に水平に延びる水平部３６ａと、この水平部３６ａの後端において鉛直方向下方に延びる垂直部３６ｂと、を有している。また、上部連結補強部３６は、水平部３６ａと垂直部３６ｂとによって、左右方向の側面視において略Ｌ字状に形成されている。また、水平部３６ａの上面は、前面パネル１１、側面パネル１４Ａ，１４Ｂおよび背面パネル１６よりも高い位置に形成されている（図３参照）。
【００４５】
上部連結補強部３６の上面には、無線通信装置６０が収容される収容部３６ｃが形成されている。この収容部３６ｃは、略矩形状に形成され、外周に沿って上方に向けて突出するリブ３６ｄが形成されている。リブ３６ｄは、前後左右の周囲全体を囲むように略四角状に形成されている。また、リブ３６ｄの内側全体は、平坦な底面３６ｃ１によって形成されている。また、上部連結補強部３６は、収容部３６ｃの周囲が、格子状のリブによって補強が施されている。
【００４６】
また、水平部３６ａの前端上面には、上部補強板３５にねじ固定するためのねじ孔３６ｅ，３６ｅが形成されている。また、水平部３６ａの右端上面には、乾燥フィルタ３８の取付部３８ｂ（図３参照）をねじ固定するためのねじ孔３６ｆ，３６ｆが形成されている。
【００４７】
また、水平部３６ａの上面には、基板ケース６２の固定部６２ｅ１，６２ｅ２をねじ固定するためのねじ孔３６ｇ，３６ｇが形成されている。また、水平部３６ａの上面には、突起部６２ｄ１，６２ｄ２が挿入される挿入部３６ｈ，３６ｈが形成されている。
【００４８】
パッキン６３（封止部材）は、基板ケース６２と収容部３６ｃとの間に形成される隙間を封止（密閉）するものであり、丸型のパッキン６３をリブ３６ｄの形状に沿うように略四角状に形成されている。また、パッキン６３は、リブ３６ｄの周囲に沿って形成された溝３６ｓ（図８参照）に載置される。
【００４９】
図６は、無線通信装置を下から見上げた状態を示す分解斜視図である。
図６に示すように、通信基板６１は、略長方形状を呈し、無線通信モジュール６１ｂ（図８参照）、アンテナ（不図示）、接続コネクタ６１ａなどの回路部品が実装されている。なお、無線通信の規格としては、無線ＬＡＮ（Local Area Network）、Bluetooth（登録商標）などから選択できる。無線通信モジュール６１ｂ（図８参照）、アンテナ（不図示）は、通信基板６１の上面側に設けられている。また、接続コネクタ６１ａは、通信基板６１の無線通信モジュール６１ｂ（図８参照）とは反対側（下面側）に設けられている。
【００５０】
基板ケース６２は、一面側（下面側）が開放した形状を有している。また、基板ケース６２内には、通信基板６１の縁部ｅ１を係止する係止部６２ｉ１，６２ｉ２が形成されている。この係止部６２ｉ１，６２ｉ２は、通信基板６１の縁部ｅ１を加え込む形状である。
【００５１】
また、基板ケース６２内には、通信基板６１の縁部ｅ２を係止する係止部６２ｊ１，６２ｊ２が形成されている。この係止部６２ｊ１，６２ｊ２は、係止部６１ｉ１，６２ｉ２に接離する方向に撓み変形可能に構成されている。
【００５２】
また、基板ケース６２内には、係止部６２ｉ１，６２ｉ２の近傍に、通信基板６１の縁部ｅ１を位置決めする位置決め部６２ｋ１，６２ｋ２が形成されている。また、係止部６２ｊ１，６２ｊ２の近傍にも通信基板６１の縁部ｅ２を位置決めする位置決め部６２ｍ１，６２ｍ２が形成されている。
【００５３】
また、基板ケース６２内には、通信基板６１の縁部ｅ３が付き当たって位置決めする位置決め部６２ｎ１，６２ｎ２が形成されている。また、基板ケース６２内には、位置決め部６２ｎ１と対向する側に、通信基板６１の縁部ｅ４が付き当たって位置決めする位置決め部６２ｏ１が形成されている。
【００５４】
また、基板ケース６２には、メイン基板ユニット５０と電気的に接続される接続コネクタ６４のリード線６４ａが挿通される切欠き６２ｐが形成されている。なお、切欠き６２ｐとリード線６４ａとの隙間は、パッキン（不図示）などによって封止されている。
【００５５】
図７は、無線通信装置を下から見上げた状態を示す斜視図である。
図７に示すように、通信基板６１は、係止部６１ｉ１，６１ｉ２，６１ｊ１，６１ｊ２によって保持される。通信基板６１を基板ケース６２に取り付ける場合には、通信基板６１の縁部ｅ１を係止部６１ｉ１，６１ｉ２に係止した後、通信基板６１の縁部ｅ２を係止部６１ｊ１，６１ｊ２に押し当てる。これにより、係止部６１ｊ１，６１ｊ２が撓み変形し、通信基板６１の縁部ｅ２が係止部６１ｊ１，６１ｊ２の突起を乗り越える。そして、係止部６１ｊ１，６１ｊ２が弾性復帰することで、通信基板６１が係止部６１ｊ１，６１ｊ２に係止される。
【００５６】
また、通信基板６１は、位置決め部６２ｋ１，６２ｋ２，６２ｍ１，６２ｍ２によって位置決めされる。これにより、通信基板６１が基板ケース６２内で左右方向に移動することが規制される。また、通信基板６１は、位置決め部６２ｎ１，６２ｎ２，６２ｏ１によって位置決めされる。これにより、通信基板６１が基板ケース６２内で前後方向に移動することが規制される。
【００５７】
また、通信基板６１は、切欠き６１ｃに位置決め部６２ｎ２が挿入されることで、通信基板６１が基板ケース６２内に所定の向きで取り付けられるようになっている。また、接続コネクタ６１ａには、接続コネクタ６４が接続される。基板ケース６２から引き出されたリード線６４ａは、メイン基板ユニット５０（図３参照）と電気的に接続される。
【００５８】
また、無線通信装置６０は、通信基板６１が基板ケース６２に取り付けられると、通信基板６１の縁部ｅ１が側板６２ｂの内壁面６２ｂ１から所定距離Ｓ１（図８参照）離間する。また、無線通信装置６０は、通信基板６１が基板ケース６２に取り付けられると、縁部ｅ２が側板６２ｃの内壁面６２ｃ１から所定距離Ｓ２（図８参照）離間する。また、無線通信装置６０は、通信基板６１が基板ケース６２に取り付けられると、通信基板６１の縁部ｅ３が側板６２ｄの内壁面６２ｄ４から所定距離Ｓ３離間する。また、無線通信装置６０は、通信基板６１が基板ケース６２に取り付けられると、縁部ｅ４が側板６２ｅの内壁面６２ｅ４から所定距離Ｓ４離間する。なお、所定距離Ｓ１，Ｓ２，Ｓ３，Ｓ４は、適宜設定されるものであり、例えば３ｍｍ以上に設定される。
【００５９】
図８は、図４のＡ−Ａ線断面図である。
図８に示すように、通信基板６１が取り付けられた基板ケース６２は、基板ケース６２の開口６２ｓが下向きの状態で、上部連結補強部３６に形成された収容部３６ｃにパッキン６３を介して取り付けられる。パッキン６３は、例えばシリコン製であり、リブ３６ｄの周囲に形成された溝３６ｓに載置される。そして、基板ケース６２の側板６２ｂ，６２ｃ，６２ｄ，６２ｅの先端（下端）６２ｔによって、パッキン６３が挟み込まれることで（押し潰されることで）、基板ケース６２と上部連結補強部３６との隙間（境界）が封止される（密閉される）。
【００６０】
また、通信基板６１は、位置決め部６２ｋ１，６２ｋ２，６２ｍ１，６２ｍ２（符号６２ｋ２，６２ｍ２は図６，７参照）によって支持される。これにより、上板６２ａの内壁面６２ａ１から所定距離Ｓ５離間し、上部連結補強部３６の収容部３６ｃの底面３６ｃ１から所定距離Ｓ６離間する。
【００６１】
なお、本実施形態では、基板ケース６２に通信基板６１を取り付けた後に、樹脂ポッティングによる防湿処理を行わずに、上部連結補強部３６の上部に無線通信装置６０を取り付けるようにしたものである。
【００６２】
ところで、ドラム式洗濯機１は、水を利用する電化製品であるため、通常、電気回路部品に樹脂ポッティングなどで防湿処理が行われる。しかし、無線通信装置６０に樹脂ポッティングを行うと、ポッティング剤の特性によって通信強度が損なわれる。また、無線通信装置６０を操作パネル２２の近傍に配置した場合も、操作パネル２２に設けられた回路基板の影響によって通信強度が損なわれる。
【００６３】
例えば、洗濯乾燥機を、屋内において外部端末からルータを経由して操作できるようにした場合、または屋外において外部端末からサーバおよびルータを経由して操作できるようにした場合、ルータと洗濯乾燥機との位置関係によっては、通信が不安定になり、また通信不能になるおそれがある。従来のように、無線通信装置が背面パネルの近傍や操作パネルの近傍に設置されると、ルータの設置場所によっては通信に不具合が生じることになり、ルータの設置場所が制限されることになる。
【００６４】
そこで、本実施形態では、以下のように構成したものである。すなわち、本実施形態のドラム式洗濯機１は、洗濯槽（外槽３および回転ドラム４）と、洗濯槽に給水する給水ユニット４０と、乾燥運転時に洗濯槽に温風を供給する乾燥ユニット３７と、を備える。また、ドラム式洗濯機１は、洗濯槽、給水ユニット４０および乾燥ユニット３７を収容する筺体１０と、筺体１０の上部に配置される操作パネル２２と、筺体１０の外部と無線通信を行う無線通信装置６０と、を備える。この無線通信装置６０は、給水ユニット４０と乾燥ユニット３７との間、かつ、操作パネル２２よりも後側に配置されている。これによれば、無線通信装置６０を筺体１０の略中央に配置することで、前後左右のどの方向に対しても安定した通信強度を得ることが可能になる。その結果、外部端末からルータを経由して操作する場合など、ルータの設置場所の許容範囲を広げることができる。また、本実施形態では、無線通信装置６０を給水ユニット４０や乾燥ユニット３７から離すことができるので、無線通信装置６０の信頼性を向上できる。
【００６５】
また、本実施形態は、筺体１０が、金属製の前面パネル１１、側面パネル１４Ａ，１４Ｂおよび背面パネル１６と、樹脂製の上面パネル１８と、側面パネル１４Ａ，１４Ｂの上端を連結する金属製の上部補強板３５と、上部補強板３５と背面パネル１６とを連結する樹脂製の上部連結補強部３６と、を備える。これによれば、無線通信装置６０を、金属製（鉄製）の前面パネル１１、側面パネル１４Ａ，１４Ｂおよび背面パネル１６から遠ざけることができるので、前面パネル１１、側面パネル１４Ａ，１４Ｂ、背面パネル１６によって通信強度が低下するのを抑制することができる。
【００６６】
また、本実施形態では、無線通信装置６０が前面パネル１１、側面パネル１４Ａ，１４Ｂおよび背面パネル１６のすべての上端縁部１１ａ，１４ａ，１４ａ，１６ａよりも上側に位置している。これによれば、金属製（鉄製）の前面パネル１１、側面パネル１４Ａ，１４Ｂおよび背面パネル１６による通信強度の低下をさらに抑制できる。
【００６７】
また、本実施形態は、無線通信装置６０は、上部補強板３５よりも後側に位置している。これによれば、金属製の上部補強板３５によって通信強度が低下するのを抑制できる。
【００６８】
また、本実施形態は、無線通信装置６０が上部連結補強部３６と上面パネル１８との間に位置している。これによれば、上面パネル１８を取り外すことで、無線通信装置６０にアクセスすることが容易になり、無線通信装置６０の保守性を向上できる。
【００６９】
また、本実施形態は、無線通信装置６０が上部連結補強部３６に取り付けられている。これによれば、無線通信装置６０を安定して保持することができ、しかも上面パネル１８の取り外しが容易になり、無線通信装置６０の保守性をさらに向上できる。
【００７０】
また、本実施形態は、無線通信装置６０が、通信基板６１と、通信基板６１を保持する基板ケース６２と、を備え、基板ケース６２が上部連結補強部３６とパッキン６３を挟んだ状態で取り付けられる。これによれば、基板ケース６２内に湿った空気が浸入するのを防止でき、無線通信装置６０の信頼性を向上できる。
【００７１】
また、本実施形態は、通信基板６１は、基板ケース６２のすべての内壁面６２ａ１，６２ｂ１，６２ｃ１，６２ｄ４，６２ｅ４および収容部３６ｃの底面３６ｃ１から所定距離Ｓ１〜Ｓ６離れた状態で保持されている。これによれば、仮に基板ケース６２の内壁面６２ａ１，６２ｂ１，６２ｃ１，６２ｄ４，６２ｅ４および収容部３６ｃの底面３６ｃ１に結露が発生したとしても、通信基板６１の表面が結露するのを抑制できる。
【００７２】
以上、本発明の実施形態について説明したが、本発明は前記実施形態に限定されず、種々の形態で実施することができる。例えば、通信基板６１を、一面側が開放した基板ケース６２と、上部連結補強部３６とで収容する構成について説明したが、通信起案６１の全体を囲むことができる基板ケースとし、この基板ケースを上部連結補強部３６に固定するようにしてもよい。
【符号の説明】
【００７３】
１      ドラム式洗濯機（洗濯乾燥機）
３      外槽（洗濯槽）
４      回転ドラム（洗濯槽）
１０    筺体
１１    前面パネル（前板部）
１１ａ  上端縁部
１４Ａ，１４Ｂ  側面パネル（側板部）
１４ａ  上端縁部
１６    背面パネル（背板部）
１６ａ  上端縁部
１７    ベース
１８    上面パネル（上板部）
２０    洗剤投入部
２２    操作パネル
３５    上部補強板（第１補強部）
３６    上部連結補強部（第２補強部）
３６ｃ  収容部
３６ｃ１  底面（内壁面）
３７    乾燥ユニット（乾燥装置）
４０    給水ユニット（給水装置）
６０    無線通信装置
６１    通信基板
６２    基板ケース
６２ａ１，６２ｂ１，６２ｃ１，６２ｄ４，６２ｅ４  内壁面
６３    パッキン（封止部材）
【図１】
2020048615.tif 000003
【図２】
2020048615.tif 000004
【図３】
2020048615.tif 000005
【図４】
2020048615.tif 000006
【図５】
2020048615.tif 000007
【図６】
2020048615.tif 000008
【図７】
2020048615.tif 000009
【図８】
2020048615.tif 000010